(57)【要約】      （修正有）【課題】ベッドに座したまま、食事、読書、執筆等が円滑に行なえ、使用時以外コンパクトに収納できるテーブルを提供する。【解決手段】ベッド本体に取り付けられた４本のアームによりテーブルが上下方向に移動し、テーブルの脚が、平行四辺形の性質を利用して常に床に対して直角を保つことを特徴とする、収納可能な可動テーブル付きのベッドであって、テーブルの脚に長さ調節可能な機構を備えることにより、テーブルの高さを容易に変えることができ、テーブル本体はテーブル脚と角度調整が可能となっている。また、ベッド本体に取り付けられた４本のアームには、エアダンパー、スプリングダンパー等を設け、テーブルの上下を安全かつ円滑に行なうことが可能なテーブル付きベッドとしている。【選択図】図−１
0003108099.tif 000002
【実用新案登録請求の範囲】
【請求項１】
ベッド本体のヘッドボードに取り付けられた４本のアームによりテーブルが上下し、テーブルの脚が常に床に対して直角を保つことを特徴とする、収納可能な可動テーブル付きのベッド。
【請求項２】
テーブルの脚に長さ調節可能な機構を備えていることにより、テーブルの高さを容易に変えることが可能な、請求項１記載の可動テーブル付きベッド。
【請求項３】
テーブル本体はテーブル脚と角度調整が可能となっていることを特徴とする、請求項１記載の可動テーブル付きベッド。
【請求項４】
ベッド本体のヘッドボードに取り付けられた４本のアームにエアダンパー、スプリングダンパー等を設け、テーブルの上下を安全かつ円滑に行なうことが可能な、請求項１記載の可動テーブル付きベッド。
【考案の詳細な説明】
【技術分野】
【０００１】  本考案は、ベッドに寝たまま、若しくは座した状態のままで、食事、読書、執筆等に使用するテーブルをセットすることができる、収納可能な可動式テーブルを備えたベッドに関する。
【背景技術】
【０００２】  従来のテーブル付きベッドは、ベッドに寝たまま、若しくは座した状態のままで食事用、読書用等に使用するテーブルをセットするために、テーブルを水平方向に移動する方式（特許文献１参照）、若しくはベッドサイドから片持ち形式でセットする方式（特許文献２参照）のものであった。
【特許文献１】特許公開平１１−３０９０２４
【特許文献２】特許公開２０００−２３７５８
【考案の開示】
【考案が解決しようとする課題】
【０００３】  病人、要介護老人にとって、ベッドに座したまま、食事、読書、執筆等の日常生活が円滑に行なえるテーブルが必要である。また、このテーブルは使用時以外コンパクトに収納されている必要があり、ベッドへの乗り降りや診察、リハビリテーションにも支障がない形態・機構を持っている必要がある。【０００４】  従来のテーブル付きベッドに見られるような水平方向に移動可能なテーブルでは、常にテーブルをレール上のどこかに置いておくか、使用していない間は取り外し、部屋のどこかに置いておくしかなかった。また、足をギプスなどによって固定し、若しくは吊っている患者に対しては水平方向の移動式テーブルは使用が不可能であった。【０００５】  ベッドサイドから片持ち形式でセットするテーブルは大きさに限界があり、片持ちであるが故に堅牢さに問題があり、ベッドへの乗り降りにも支障を来たしていた。
【問題を解決するための手段】
【０００６】  ベッド本体のヘッドボードに取り付けられた４本のアームによりテーブルが上下方向に移動し、かつ、テーブルの脚が常に床に対して直角を保つことを特徴とする、収納可能な可動テーブル付きのベッドを提供する。
【０００７】  テーブルの脚に長さ調節可能な機構を備えていることにより、テーブルの高さを容易に変えることが可能な、請求項１記載の可動テーブル付きベッド。
【０００８】  テーブル本体はテーブル脚と角度調整が可能となっていることを特徴とする、請求項１記載の可動テーブル付きベッド。
【０００９】  ベッド本体のヘッドボードに取り付けられた４本のアームにエアダンパー、スプリングダンパー等を設け、テーブルの上下を安全かつ円滑に行なうことが可能な、請求項１記載の可動テーブル付きベッド。
【考案の効果】
【００１０】  テーブル使用時以外はテーブルをヘッドボードにコンパクトに収納しておくことが可能なため、診察時、リハビリ時、ベッドへの乗り降り等、ベッド上の動作にまったく制約がない。また、テーブルの移動方向が垂直方向であるために、足をギプスで固定している患者や、足を吊っている患者に対しても使用が可能である。
【００１１】  テーブルの角度は、上下方向へ移動中であっても常に水平に保つことが可能であるので、食事中や読書、執筆中であってもテーブルを上部方向に移動することにより、食器や書物をテーブルに置いたままベッドへの乗り降りが可能である。
【００１２】  テーブルの移動方向が垂直方向であるために、テーブルの高さ調整は脚の長さ調整のみで可能となり、幼児から成人、老人まであらゆる体型の人々に対応が可能である。
【考案を実施するための最良の形態】
【００１３】  本考案を実施するための最良の形態を、図面を用いて説明する。図−１は可動テーブル付きベッドの斜視図、図−２はテーブルをセットした状態の側面図、図−３はテーブルを収納した状態の側面図である。テーブル▲１▼は門形の脚▲４▼に回転軸▲１３▼により取り付けられており、この門形の脚は左右４本のアーム▲２▼にてヘッドボードに取り付けられている。このアームは回転軸▲１４▼によりヘッドボードに取り付けられているが、２ヶ所の回転軸▲１４▼の取り付け位置は垂直方向、水平方向ではなく、角度をつけることにより（図では約３０度の角度を有しているが、この角度については３０度に限定しない）、テーブルの移動と収納が、より円滑に行なえるようにしている。【００１４】  左右４本のアームに取り付けられている脚▲４▼は、アームを構成する平行四辺形の性質を利用しているため、上下移動中も、床に対して常に直角になる。テーブル及び脚の上下移動を円滑に行なえるよう、アーム▲２▼にはエアダンパー若しくはスプリングダンパー等を取り付けているが、このダンパーの種類については限定しない。【００１５】  テーブルをヘッドボードに収納する時には、斜材▲８▼をレール▲９▼に沿って垂直に立てることによりテーブルも垂直となりコンパクトに収納できる。レール▲９▼には数箇所の斜材止を設け、食事時、読書時等、必要に応してテーブルの角度を調整できるようにしている。ただし、この角度を調整する機構は、斜材とレールの組み合わせには限定しない。【００１６】  脚▲４▼には、ネジ式、ピン式などの高さ調整装置▲５▼が設けられているが、この高さを調整する機構は限定しない。【００１７】  脚▲４▼には脚をベッドに固定するためのローラーキャッチ▲１０▼等を設けているが、この固定機構は限定しない。【００１８】  テーブル▲１▼及び脚▲４▼には各々取っ手▲１１▼、▲１２▼を設けているが、この取っ手の形状は限定しない。
【実施例】
【００１９】  要介護老人を抱える個人宅等に設置することにより、とかく雑然となりがちなベッド周りを整然とすることに寄与し、老人のクオリティー・オブ・ライフ（生活の質）を向上することが可能となる。【００２０】  病院、老人介護施設等に設置することにより、療養時、診察時、リハビリ時の患者の活動の自由度が向上すると共に、食事、読書、執筆等の日常生活についても、その質の面での向上が可能となる。【００２１】  健常者にとっても、週末の朝などこのベッドを使用していれば、ベッドに居ながらにしてブランチを楽しむことが出来、また、就寝前に読書を楽しむことが可能である。
【図面の簡単な説明】
【図−１】  本考案の斜視図である。
【図−２】  本考案のテーブルをセットした状態の側面図である。
【図−３】  本考案のテーブルを収納した状態の側面図である。
【符号の説明】
▲１▼      ：テーブル
▲２▼      ：アーム
▲３▼      ：ダンパー
▲４▼      ：脚
▲５▼      ：高さ調整装置
▲６▼      ：ベッド本体
▲７▼      ：ヘッドボード
▲８▼      ：斜材
▲９▼      ：斜材のレール
▲１０▼    ：ローラーキャッチ等
▲１１▼    ：取っ手
▲１２▼    ：取っ手
▲１３▼    ：回転軸
▲１４▼    ：回転軸
▲１４▼−ａ：テーブル側の回転軸
【図−１】
0003108099.tif 000003
【図−２】
0003108099.tif 000004
【図−３】
0003108099.tif 000005